【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
複数の端末とインターネット網を介して接続されるコンピュータサーバを用いた電話番号情報の判定装置であって、
前記複数の端末から参照された電話番号の参照回数およびアクセスログを参照回数情報として記憶するデータベースと、
前記複数の端末からアカウントを含む認証情報を受信し認証手段がログインを許可することを条件として、前記複数の端末から検索情報として電話番号を受付ける検索情報受付手段と、
前記検索情報受付手段が受付けた電話番号を用いて前記データベースを検索し、前記参照回数情報を読み出して前記複数の端末へ前記インターネット網を介して、業界の種類毎の参照回数を前記複数の端末に出力させるシステム制御手段と、
前記検索情報受付手段が受付けた電話番号の前記検索情報に対応する電話番号の前記参照回数情報を増分し、前記アカウントを前記アクセスログへ追加して前記データベースを更新するアクセスカウンタ手段と、
を備える装置。
【請求項２】
前記アカウントが前記業界の種類毎に分配され、同一の業界の種類毎にアカウントグループを形成することを特徴とする請求項１に記載の装置。
【請求項３】
前記システム制御手段が、前記認証手段が認証した前記アカウントと認証日時に対応させて前記アクセスカウンタ手段がカウントアップする前記参照回数情報を前記データベースに記録または更新することを特徴とする請求項１又は２に記載の装置。
【請求項４】
前記データベースが、さらに、複数の電話番号の使用履歴情報及び電話番号地域情報を参照回数情報として記憶し、
前記検索情報受付手段が、さらに、郵便番号情報を受付け、
前記システム制御手段が、さらに、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録の欠番履歴が、それぞれ存在するか否かを逐次判定し、何れの履歴も判定されないことを条件として前記検索情報の電話番号に対して所定の加入者番号と判定する履歴判定情報を生成し、前記郵便番号情報を用いて前記データベースから前記電話番号地域情報を検索しエリア情報を出力するとともに検索している電話番号の局番地域と一致するか否かを判定して地域判定情報を出力し、前記複数の端末へ前記インターネット網を介して、前記参照回数情報に検索している前記電話番号履歴情報と前記履歴判定情報と前記エリア情報と前記地域判定情報とを合成した検索結果情報を出力させることを特徴とする請求項１ないし３のいずれか１項に記載の装置。
【請求項５】
前記システム制御手段が、さらに、前記検索情報受付手段が受付けた検索情報の電話番号をＩＳＤＮ発信手段を用いてＩＳＤＮ網へ電話をかけたときの網情報を検出し、前記検索情報の電話番号が現在使用されているのか現在未使用なのかをリアル判定手段が判定したリアル判定情報を前記複数の端末へ前記インターネット網を介して出力させる請求項１ないし４のいずれか１項に記載の装置。
【請求項６】
複数の端末とインターネット網を介して接続されるコンピュータサーバを用いた電話番号情報の判定方法であって、
データベースが前記複数の端末から参照された電話番号の参照回数およびアクセスログを参照回数情報として記憶するステップ（ａ）と、
検索情報受付手段が、前記複数の端末からアカウントを含む認証情報を受信し認証手段がログインを許可することを条件として、前記複数の端末から検索情報として電話番号を受付けるステップ（ｂ）と、
システム制御手段が、前記検索情報受付手段が受付けた電話番号を用いて前記データベースを検索し、前記参照回数情報を読み出して前記複数の端末へ前記インターネット網を介して、業界の種類毎の参照回数を前記複数の端末に出力させるステップ（ｃ）と、
アクセスカウンタ手段が、前記検索情報受付手段が受付けた電話番号の検索情報に対応する電話番号の参照回数情報を増分し、前記アカウントを前記アクセスログへ追加して前記データベースを更新するステップ（ｄ）と、
を備えることを特徴とする方法。
【請求項７】
前記ステップ（ｂ）において、前記アカウントが前記業界の種類毎に分配され、同一の業界の種類毎にアカウントグループを形成することを特徴とする請求項６に記載の方法。
【請求項８】
前記ステップ（ｄ）において、前記システム制御手段が、前記認証手段が認証した前記アカウントと認証日時に対応させて前記アクセスカウンタ手段がカウントアップする前記参照回数情報を前記データベースに記録または更新することを特徴とする請求項６又は７に記載の方法。
【請求項９】
前記ステップ（ａ）において、前記データベースが、さらに、複数の電話番号の使用履歴情報及び電話番号地域情報を参照回数情報として記憶し、
前記ステップ（ｂ）において、前記検索情報受付手段が、さらに、郵便番号情報を受付け、
前記ステップ（ｃ）において、前記システム制御手段が、前記データベースを検索した後、さらに、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録の欠番履歴が、それぞれ存在するか否かを逐次判定し、何れの履歴も判定されないことを条件として、前記検索情報の電話番号に対して所定の加入者番号と判定する履歴判定情報を生成し、前記郵便番号情報を用いて前記データベースから電話番号地域情報を検索しエリア情報を出力するとともに検索している電話番号の局番地域と一致するか否かを判定して地域判定情報を出力し、そして、前記参照回数情報を読み出した後、前記複数の端末へ前記インターネット網を介して、前記参照回数情報に検索している前記電話番号履歴情報と前記履歴判定情報と前記エリア情報と前記地域判定情報とを合成した検索結果情報を前記複数の端末に出力させることを特徴とする請求項６ないし８のいずれか１項に記載の方法。
【請求項１０】
さらに、前記システム制御手段が、前記検索情報受付手段が受付けた検索情報の電話番号をＩＳＤＮ発信手段を用いてＩＳＤＮ網へ電話をかけたときの網情報を検出し、前記検索情報の電話番号が現在使用されているのか現在未使用なのかをリアル判定手段が判定したリアル判定情報を前記複数の端末へ前記インターネット網を介して出力させるステップ（ｅ）を備えることを特徴とする請求項６ないし９のいずれか１項に記載の方法。
【手続補正２】
【補正対象書類名】明細書
【補正対象項目名】０００９
【補正方法】変更
【補正の内容】
【０００９】
上記目的を達成するために、本発明は、（１）複数の端末とインターネット網を介して接続されるコンピュータサーバを用いた電話番号情報の判定装置であって、複数の端末から参照された電話番号の参照回数およびアクセスログを参照回数情報として記憶するデータベースと、複数の端末からアカウントを含む認証情報を受信し認証手段がログインを許可することを条件として、複数の端末から検索情報として電話番号を受付ける検索情報受付手段と、検索情報受付手段が受付けた電話番号を用いて前記データベースを検索し、参照回数情報を読み出して複数の端末へインターネット網を介して、業界の種類毎の参照回数を複数の端末に出力（複数の端末のディスプレイに表示）させるシステム制御手段と、検索情報受付手段が受付けた電話番号の検索情報に対応する電話番号の参照回数情報を増分し、アカウントをアクセスログへ追加してデータベースを更新するアクセスカウンタ手段と、を備える装置を提供する。
【手続補正３】
【補正対象書類名】明細書
【補正対象項目名】００１０
【補正方法】変更
【補正の内容】
【００１０】
（２）アカウントが業界の種類毎に分配され、同一の業界の種類毎にアカウントグループを形成することを特徴とする上記（１）に記載の装置を提供する。
【手続補正４】
【補正対象書類名】明細書
【補正対象項目名】００１２
【補正方法】変更
【補正の内容】
【００１２】
（４）データベースが、さらに、複数の電話番号の使用履歴情報及び電話番号地域情報を参照回数情報として記憶し、検索情報受付手段が、さらに、郵便番号情報を受付け、システム制御手段が、さらに、電話番号履歴情報の未蓄積履歴、電話番号履歴情報の中に加入状態から欠番状態へ遷移する複数の履歴、電話番号履歴情報の中に欠番状態から加入状態へ遷移する複数の履歴、電話番号履歴情報の直近調査記録が欠番履歴、直近調査記録より一つ前の調査記録の欠番履歴が、それぞれ存在するか否かを逐次判定し、何れの履歴も判定されないことを条件として検索情報の電話番号に対して所定の（長期）加入者番号と判定する履歴判定情報を生成し、郵便番号情報を用いてデータベースから電話番号地域情報を検索しエリア情報を出力するとともに検索している電話番号の局番地域と一致するか否かを判定して地域判定情報を出力し、複数の端末へ前記インターネット網を介して、参照回数情報に検索している電話番号履歴情報と履歴判定情報とエリア情報と地域判定情報とを合成した検索結果情報を出力（表示）させることを特徴とする上記（１）ないし（３）のいずれか１つに記載の装置を提供する。
【手続補正５】
【補正対象書類名】明細書
【補正対象項目名】００１３
【補正方法】変更
【補正の内容】
【００１３】
（５）システム制御手段が、さらに、検索情報受付手段が受付けた検索情報の電話番号をＩＳＤＮ発信手段を用いてＩＳＤＮ網へ電話をかけたときの網情報を検出し、検索情報の電話番号が現在使用されているのか現在未使用なのかをリアル判定手段が判定したリアル判定情報を複数の端末へインターネット網を介して出力（表示）させる上記（１）ないし（４）のいずれか１つに記載の装置を提供する。
【手続補正６】
【補正対象書類名】明細書
【補正対象項目名】００１４
【補正方法】変更
【補正の内容】
【００１４】
上記目的を達成するために、本発明は、（６）複数の端末とインターネット網を介して接続されるコンピュータサーバを用いた電話番号情報の判定方法であって、データベースが複数の端末から参照された電話番号の参照回数およびアクセスログを参照回数情報として記憶するステップ（ａ）と、検索情報受付手段が、複数の端末からアカウントを含む認証情報を受信し認証手段がログインを許可することを条件として、複数の端末から検索情報として電話番号を受付けるステップ（ｂ）と、システム制御手段が、検索情報受付手段が受付けた電話番号を用いて前記データベースを検索し、参照回数情報を読み出して複数の端末へインターネット網を介して、業界の種類毎の参照回数を複数の端末に出力（複数の端末のディスプレイに表示）させるステップ（ｃ）と、アクセスカウンタ手段が、検索情報受付手段が受付けた電話番号の検索情報に対応する電話番号の参照回数情報を増分し、アカウントをアクセスログへ追加してデータベースを更新するステップ（ｄ）と、を備えることを特徴とする方法を提供する。
【手続補正７】
【補正対象書類名】明細書
【補正対象項目名】００１５
【補正方法】変更
【補正の内容】
【００１５】
（７）ステップ（ｂ）において、アカウントが業界の種類毎に分配され、同一の業界の種類毎にアカウントグループを形成することを特徴とする上記（６）に記載の方法を提供する。
【手続補正８】
【補正対象書類名】明細書
【補正対象項目名】００１７
【補正方法】変更
【補正の内容】
【００１７】
（９）ステップ（ａ）において、データベースが、さらに、複数の電話番号の使用履歴情報及び電話番号地域情報を参照回数情報として記憶し、ステップ（ｂ）において、検索情報受付手段が、さらに、郵便番号情報を受付け、ステップ（ｃ）において、システム制御手段が、データベースを検索した後、さらに、電話番号履歴情報の未蓄積履歴、電話番号履歴情報の中に加入状態から欠番状態へ遷移する複数の履歴、電話番号履歴情報の中に欠番状態から加入状態へ遷移する複数の履歴、電話番号履歴情報の直近調査記録が欠番履歴、直近調査記録より一つ前の調査記録の欠番履歴が、それぞれ存在するか否かを逐次判定し、何れの履歴も判定されないことを条件として、検索情報の電話番号に対して所定の（長期）加入者番号と判定する履歴判定情報を生成し、郵便番号情報を用いてデータベースから電話番号地域情報を検索しエリア情報を出力するとともに検索している電話番号の局番地域と一致するか否かを判定して地域判定情報を出力し、そして、参照回数情報を読み出した後、複数の端末へインターネット網を介して、参照回数情報に検索している電話番号履歴情報と履歴判定情報とエリア情報と地域判定情報とを合成した検索結果情報を複数の端末に出力（複数の端末のディスプレイに表示）させることを特徴とする上記（６）ないし（８）のいずれか１つに記載の方法を提供する。
【手続補正９】
【補正対象書類名】明細書
【補正対象項目名】００１８
【補正方法】変更
【補正の内容】
【００１８】
（１０）さらに、システム制御手段が、検索情報受付手段が受付けた検索情報の電話番号をＩＳＤＮ発信手段を用いてＩＳＤＮ網へ電話をかけたときの網情報を検出し、検索情報の電話番号が現在使用されているのか現在未使用なのかをリアル判定手段が判定したリアル判定情報を複数の端末へインターネット網を介して出力させるステップ（ｅ）を備えることを特徴とする上記（６）ないし（９）のいずれか１つに記載の方法を提供する。
【手続補正１０】
【補正対象書類名】明細書
【補正対象項目名】００４４
【補正方法】変更
【補正の内容】
【００４４】
システム制御部２０は、認証部１６が認証したアカウントと認証日時に対応させてアクセスカウンタ部２２がカウントアップする参照回数情報をデータベースＤＢ１４に記録または更新することで、複数の端末から過去に参照された参照回数を業界（金融業界）の種類毎に分類して端末１０ａに表示する。また、情報検索結果表示領域４０の表示が完了した後に、操作者がポインタを参照回数の右側ボタン内に表示するアカウントグループ文字、例えば「金融」をクリック操作すると、電話番号情報の判定装置１から送信された参照回数情報の中のアクセスログを端末１０ａのディスプレイにバルーンメッセージ４６内に表示する。